(57)【要約】【課題】化粧材を塗布量の調節が容易であり、また極めて迅速に高効率で、化粧材を塗布することができる化粧材の塗布具を提供する。【解決手段】外筒６０内で押圧部材１０がその軸方向に移動する。このとき、凹部２５が押圧部材１０の奥壁に形成された突起に係合しているので、中心部材２０は回転しない。このため、中心部材２０の案内部２３に形成された螺旋溝２４にピン３２が係合しているので、回転筒３１が回転する。この回転筒３１の回転により、回転部４１とブラシ８０の取付部７０も回転する。押圧部材１０の押圧を解除すると、凹部２５と突起との係合が解除されて、中心部材２０は回転しつつ後退する。これにより、押圧部材１０の軸方向往復移動により、ブラシは常に一方向に回転する。【選択図】図１
2010131275.tif 000002
【特許請求の範囲】
【請求項１】
外筒と、この外筒内でその軸方向に移動する押圧部材と、この押圧部材内に設けられ案内部を有する中心部材と、前記案内部が挿入される回転筒と前記外筒に固定される固定部と前記回転筒を前記固定部から離隔する方向に付勢する圧縮バネとを有する内側回転部材と、前記回転筒に連結された外側回転部材と、この外側回転部材に連結されるブラシの取付部とを有し、前記案内部の周面に螺旋溝が形成され、前記回転筒にその内側に突出するピンが設けられており、前記ピンが前記螺旋溝に係合することにより、前記中心部材の軸方向移動が前記回転筒の回転運動に変換され、前記押圧部材の操作部を前記外筒内に押し込む方向に前記押圧部材を移動させたときに前記中心部材を前記押圧部材に対して回転しないように係止し前記押圧部材を後退させたときに前記中心部材と前記押圧部材との回転係止を解除する係止及び解除手段を有することを特徴とする化粧材の塗布具。
【請求項２】
前記中心部材はその中心軸に垂直の面をもつフランジを有し、前記係止及び解除手段は、前記フランジの前記押圧部材側の面にその中心軸の周りの等配の位置に形成された複数の凹部と、前記押圧部材の内部における前記フランジの当接面に形成された１又は複数の突起とを有し、前記押圧部材を押し込むときに前記突起が前記複数の凹部の中の１又は複数の凹部に選択的に係合し、前記押圧部材の押込を解除したときに、前記突起と前記凹部の係合が外れて係止が解除されることを特徴とする請求項１に記載の化粧材の塗布具。
【発明の詳細な説明】
【技術分野】
【０００１】
本発明は、化粧材の塗布具に関し、特に、マスカラ等のようにマスカラ墨を睫毛に塗布するのに好適な化粧材の塗布具に関する。
【背景技術】
【０００２】
従来、化粧材を塗布するための化粧材の塗布具、特に、マスカラ等の化粧材塗布具においては、マスカラ墨を睫毛に均一に塗布して、塗布ムラを防ぐと共に、なるべく多量のマスカラ墨を睫毛に保持させるために、ブラシ毛の形状及び材質等が改善されてきた（例えば特許文献１）。
【０００３】
【特許文献１】特開２００６−１０２１３６号公報
【発明の開示】
【発明が解決しようとする課題】
【０００４】
しかしながら、上述の従来技術には、以下のような問題点がある。即ち、マスカラ墨を睫毛に均一に塗布し、マスカラ墨を睫毛になるべく多量に保持できるように、ブラシ毛の形状及び材質を改善しても、マスカラ墨を人が手の動きにより睫毛に塗布しているので、塗布ムラ及びダマ等の発生を抑制するのには限界がある。
【０００５】
本発明はかかる問題点に鑑みてなされたものであって、化粧材を塗布量の調節が容易であり、また極めて迅速に高効率で、化粧材を塗布することができる化粧材の塗布具を提供することを目的とする。
【課題を解決するための手段】
【０００６】
本発明に係る化粧材の塗布具は、外筒と、この外筒内でその軸方向に移動する押圧部材と、この押圧部材内に設けられ案内部を有する中心部材と、前記案内部が挿入される回転筒と前記外筒に固定される固定部と前記回転筒を前記固定部から離隔する方向に付勢する圧縮バネとを有する内側回転部材と、前記回転筒に連結された外側回転部材と、この外側回転部材に連結されるブラシの取付部とを有し、前記案内部の周面に螺旋溝が形成され、前記回転筒にその内側に突出するピンが設けられており、前記ピンが前記螺旋溝に係合することにより、前記中心部材の軸方向移動が前記回転筒の回転運動に変換され、前記押圧部材の操作部を前記外筒内に押し込む方向に前記押圧部材を移動させたときに前記中心部材を前記押圧部材に対して回転しないように係止し前記押圧部材を後退させたときに前記中心部材と前記押圧部材との回転係止を解除する係止及び解除手段を有することを特徴とする。
【０００７】
この化粧材の塗布具において、前記中心部材はその中心軸に垂直の面をもつフランジを有し、前記係止及び解除手段は、前記フランジの前記押圧部材側の面にその中心軸の周りの等配の位置に形成された複数の凹部と、前記押圧部材の内部における前記フランジの当接面に形成された１又は複数の突起とを有し、前記押圧部材を押し込むときに前記突起が前記複数の凹部の中の１又は複数の凹部に選択的に係合し、前記押圧部材の押込を解除したときに、前記突起と前記凹部の係合が外れて係止が解除されることが好ましい。
【発明の効果】
【０００８】
本発明によれば、操作部を押し込む動作とそれを解除する動作とを繰り返すだけで、内側回転部材及び外側回転部材並びにブラシの取付部を常に一方向に回転させることができ、化粧材の塗布を継続的に実施することができる。即ち、ブラシを睫毛等から離隔させることなく、ブラシを睫毛等に接触させたまま、ブラシを一方向に継続的に回転させることができるので、極めて迅速に高効率で、化粧材を塗布することができるという効果を奏する。また、化粧材の塗布量の調節が容易であり、塗布ムラ及びダマ等の発生を防止できる。
【発明を実施するための最良の形態】
【０００９】
以下、本発明の実施形態について、添付の図面を参照して具体的に説明する。図１は本発明の実施形態に係る化粧材の塗布具１００の構成部品を示す斜視図、図２はこれらの部品を組み立てた状態と外筒６０との関係を示す正面図である。また、図３（ａ）は押圧部材１０を示す正面図、図３（ｂ）はその左側面図、図３（ｃ）はその右側面図である。図４（ａ）は中心部材２０を示す正面図、図４（ｂ）はその左側面図、図４（ｃ）はその右側面図である。図５（ａ）は固定部材５０が取り付けられた回転部材３０を示す正面図、図５（ｂ）はその左側面図、図５（ｃ）はその右側面図、図５（ｄ）はバネの伸縮状態を示す正面図である。図６（ａ）は固定部材５０を外した回転部材３０を示す正面図、図６（ｂ）はその左側面図、図６（ｃ）はその右側面図、図６（ｄ）はバネの伸縮状態を示す正面図である。図７（ａ）は外筒６０を示す正面図、図７（ｂ）はその左側面図、図７（ｃ）はその右側面図である。
【００１０】
図１に示すように、塗布具１００は、押圧部材１０と、中心部材２０と、内側回転部材３０と、外側回転部材４０と、固定部材５０と、外筒６０と、ブラシ８０の取付部材７０とを備えている。図３に示すように、押圧部材１０は、小径中実の操作部１１と、中心部材２０を収納する収納部１２とからなる。この収納部１２は、筒状をなし、その外径は操作部１１より大径であり、収納部１２の内径は中心部材２０のフランジ２２の直径よりも大径であり、中心部材２０を収納部１２内に収納できる内部空間を有している。この収納部１２の奥の壁面、即ち、操作部１１との境界の壁面には、押圧部材１０の中心軸と一致する中心孔１５と、この中心孔１５を挟んで両隣となる位置に、微小な２個の突起１４とが形成されている。また、収納部１２には、押圧部材１０の軸方向に平行に延びる溝１３が形成されている。
【００１１】
図４に示すように、中心部材２０は、円板状のフランジ２２と、このフランジ２２の押圧部材１０側の面にこの面に垂直にかつ中心部材２０の中心軸と一致する位置に設けられた小径の棒状部２１と、フランジ２２の内側回転部材３０側の面にこの面に垂直に且つ中心部材２０の中心軸と同軸的に設けられた案内部２３とを有する。この案内部２３は、中実でもよいし、軽量化のために円筒形にしてもよい。フランジ２２は、その外径が、収納部１２の内径よりも若干小さく、収納部１２内をその中止軸に沿って、抵抗力を実質的に受けずに、且つガタが生じずに、移動することができるようになっている。棒状部２１は、中心部材２０を収納部１２内に挿入したときに、押圧部材１０の操作部１１の中心部に形成された中心孔１５内に挿入される。フランジ２２の押圧部材１０側の面には、その棒状部２１を中心とした８等配の位置に、夫々凹部２５が形成されている。中心部材２０を収納部１２内に挿入し、フランジ２２を、収納部１２の奥の壁に当接させたときに、この凹部２５のうちの棒状部２１を中間とする２位置の凹部２５内に、選択的に、２個の突起１４が嵌合する。また、案内部２３の周面には、溝２４が螺旋状に延びるように形成されている。
【００１２】
内側回転部材３０においては、回転筒３１と、固定部３３とが、連結部３７により連結されている。回転筒３１は中心部材２０の案内部２３が挿入される大きさを有し、回転筒３１の中心部材２０側の開口端部には、ピン３２が設けられている。このピン３２はその周面にネジが形成されており、回転筒３１の周壁に設けたネジ孔内に螺合するようになっている。そして、このピン３２が回転筒３１の内側に突出したときに、ピン３２の先端部が螺旋溝２４内に進入し、螺旋溝２４内を螺旋溝２４に沿って相対的に移動するようになっている。よって、中心部材２０の案内部２３が回転筒３１内をその軸方向に相対的に移動すると、回転筒３１は中心部材２０に対して相対的に回転する。なお、回転筒３１内には圧縮バネ（図示せず）が内装されており、この圧縮バネにより中心部材２０が回転筒３１から離れる方向に付勢されている。
【００１３】
連結部３７は回転筒３１に固定されており、この連結部３７は固定部３３内を挿通し、固定部３３に対して相対的に回転可能に支持されている。但し、連結部３７は固定部３３からその軸方向に抜けでないように固定部３３に係止されている。固定部３３と回転筒３１との間には、圧縮バネ３７が介装されており、回転筒３１が固定部３３から離隔する方向に回転筒３１を付勢している。図６に示すように、連結部３７の固定部３３側の端面には、その中心部に中心孔３８が連結部３７の中心軸に一致するように設けられている。そして、この中心孔３８を挟んでその両側に、２本のピン３９が前記端面に立設するように設けられている。図１に示すように、固定部３３は、その軸方向の中央にフランジ３４が形成されており、このフランジ３４の軸方向両側に平坦な周面をもつ支持部３３ａ、３３ｂが形成されている。そして、固定部材５０側の支持部３３ｂの先端部にはネジ３５が形成されている。
【００１４】
外側回転部材４０には、円錐台状の回転部４１と、この回転部４１の底面の中心にこの底面に垂直に設けられた軸部４２と、回転部４１の円錐先端部に設けられネジが形成された連結部４４とが設けられている。軸部４２は連結部３７の端面の中心孔３８内に挿入される。また、軸部４２には圧縮バネ４３が外嵌されている。この圧縮バネ４３により外側回転部材４０が連結部３７の端面から離隔する方向に付勢される。更に、回転部４１には、軸部４２の両側の２位置に外側回転部材４０の中心軸方向に軸部４２を貫通する２個の孔４５が形成されている。この孔４５に固定部３３の２個のピン３９が挿入される。これにより、外側回転部材４０は、連結部３７に対して接近離隔可能に、連結部３７と共に回転する。
【００１５】
図１に示すように、固定部材５０は円柱状をなし、固定部３３側の開口部には、ネジ３５に螺合するネジ５１が形成されている。一方、図５に示すように、固定部材５０の固定部３３の反対側の端面には、外側回転部材４０の回転部４１の円錐先端側の連結部４４は挿通するが、回転部４１は係止する大きさの開口５２が設けられている。
【００１６】
図１に示すように、ブラシ８０の取付部材７０はその中心部にネジ孔７１が形成されており、このネジ孔７１に連結部４４のネジが螺合するようになっている。これにより、取付部材７０が外側回転部材４０に連結される。
【００１７】
図１及び図７に示すように、外筒６０は、筒状をなし、その内径は、押圧部材１０の収納部１２の外径よりも若干大きく、外筒６０内に収納部１２を挿入できるようになっている。この外筒６０の一方の端部には壁６５が形成されており、この壁６５の中心には押圧部材１０の操作部１１は挿通するが、収納部１２は挿通しない大きさの孔６１が形成されている。また、外筒６０の周面には、ネジ孔が形成されていて、このネジ孔にネジが形成されたピン６４が螺合している。ピン６４は押圧部材１０の溝１３内に進入するようになっており、これにより、押圧部材１０は外筒６０に対して、その軸方向には相対的に移動するが、回転はしないようになっている。
【００１８】
一方、外筒６０の他方の端部６２には壁は形成されておらず、開放端部となっているが、この開放端部６２の内径は内側回転部材３０の固定部３３のフランジ３４の直径より小さい。即ち、固定部３３の支持部３３ａは外筒６０の内径より若干小さい直径を有し、この開放端部６２にて外筒６０内に挿入することができる。一方、フランジ３４は外筒６０の外径と同程度の直径を有し、外筒６０の開放端部６２はフランジ３４に当接する。なお、外筒６０の周面の比較的大きな孔６３は、外筒６０内の部材の操作又は組み立て時に使用される。
【００１９】
このように構成された各部品は、以下のようにして組み立てられる。中心部材２０の案内部２３を内側回転部材３０の回転筒３１内に、ピン３２を螺旋溝２４内に係合させた状態で、挿入する。一方、外側回転部材４０を、その孔４５に、連結部材３７の端面に形成されたピン３９を挿入した状態で、外側回転部材４０の背後から固定部材５０をあてがい、固定部材５０のネジ５１を固定部３３のネジ３５に螺合することにより、外側回転部材４０と内側回転部材３０とが連結される。よって、内側回転部材３０の回転筒３１及び連結部３７と、外側回転部材４０の回転部４１とは、固定部３３及び固定部材５０に対して、回転可能に支持されている。また、回転部４１はバネ４３により固定部３３から離隔する方向に付勢され、回転筒３１はバネ３６により固定部３３から離隔する方向に付勢されている。
【００２０】
一方、中心部材２０を押圧部材１０の収納部１２内に挿入する。そして、棒状部２１を中心部材１０の中心孔１５内に挿入し、フランジ２２に形成された凹部２５のうち、中心角が１８０°の位置にある２個の凹部２５に、収納部１２の奥の壁に形成された２個の突起を嵌合させた状態で、フランジ２２を収納部１２の奥の壁に当接させる。その後、外筒６０を、その開放端部６２から押圧部材１０に外嵌し、押圧部材１０の操作部１１を外筒６０の孔６１から外方に突出させると共に、押圧部材１０の開放端部６２を固定部３３のフランジ３４に当接させる。この状態で、外筒６０を固定部３３にネジ止め等の手段により固定する。そして、取付部材７０の螺孔７１に連結部４４のネジを螺合して、取付部材７０を外側回転部材４０に連結する。その後、ブラシ８０を取付部材７０に取り付ける。これにより、図２に示すように、各部材が連結されて、塗布具１００が組み立てられる。
【００２１】
次に、上述のごとく構成された本実施形態の塗布具１００の動作について説明する。外筒６０を手で保持して、操作部１１を指で押し込む。そうすると、押圧部材１０は外筒６０に対して相対的に回転せずに、外筒６０の軸方向に押し込められる。このとき、中心部材２０も、その凹部２５に押圧部材１０の突起１４が嵌合しているため、押圧部材１０に対して相対的に回転せずに、操作部１１による押圧方向に移動する。そうすると、案内部２３の周面に形成された螺旋溝２４にピン３２が係合しているので、ピン３２が設けられた内側回転部材３０の回転筒３１が一方向に回転する。回転筒３１が一方向に回転すると、外側回転部材４０の回転部４１も回転筒３１と同一角度だけ前記一方向に回転する。これにより、取付部７０に取り付けられたブラシ８０も回転する。
【００２２】
その後、押圧部材１０の操作部１１を押し込む力を解除し、操作部１１を自由にする。そうすると、押圧部材１０は外筒６０に対してその軸方向に移動する（後退する）。このとき、バネ３６により押圧部材１０の収納部１２の奥壁に押しつけられていた中心部材２０の押しつけ力が低下し、中心部材２０のフランジ２２に設けられた凹部２５と、押圧部材１０の収納部１２の奥壁に設けられた突起１４との係合が外れる。また、回転筒３１内のバネにより、中心部材２０は押圧部材１０と同方向に移動しようとする（後退する）。一方、内側回転部材３０の回転筒３１のピン３２は中心部材２０の案内部２３の螺旋溝２４内に係合しているため、中心部材２０の後退により、案内部材２３はピン３２と螺旋溝２４との係合によりその中心軸の周りに回転する。従って、中心部材２０は、中心軸の周りに回転しつつ後退する。この押圧部材１０の後退は、収納部１２が外筒６０の壁６５に当接し、操作部１１が外筒６０から突出するまで行われる。
【００２３】
このとき、バネ３６及び回転筒３１内のバネによりフランジ２２は収納部１２の奥壁に当接しているが、収納部１２の奥壁の突起１４は、フランジ２２の回転によりフランジ２２に形成された８個の凹部２５のうち、フランジ２２の回転分だけずれた他の凹部２５に係合する。
【００２４】
この状態で、操作部１１を再度押し込むと、前述と同様にして、中心部材２０が回転筒３１内に押し込まれ、中心部材２０は突起１４と凹部２５との係合により回転しないので、回転筒３１及び回転部４１が前記一方向に回転し、ブラシ８０も前記一方向に回転する。その後、操作部１１の押圧を解除すると、突起１４と凹部２５との係合が解除され、押圧部材１０は回転せずに後退するが、中心部材２０はピン３２により螺旋溝２４の回転方向位置が規制されているため、中心軸の周りに回転しつつ後退し、回転筒３１及びブラシ８０は回転しない。
【００２５】
このようにして、操作部１１の押込と、その解除を繰り返すことにより、回転筒３１及び回転部４１とブラシ８０が、常に前記一方向に回転を繰り返す。そこで、ブラシ８０の刷毛部に化粧材を含ませておくことにより、その化粧材が睫毛等に塗布される。
【００２６】
このようにして、操作部１１を押し込む動作とそれを解除する動作とを繰り返すことにより、中心部材２０の軸方向移動と軸方向後退及び回転が繰り返され、に固定された台座６０に取り付けられたブラシ９０が、一方向に回転したときの化粧材の塗布が繰り返す実行される。
【００２７】
化粧材の塗布時には、操作部１１の押込力を調節することにより、そのブラシ８０の回転速度を微調整することができ、所望の位置に所望の量の化粧材を塗布することができる。例えばブラシ８０にマスカラを保持させ、睫毛に当てるときに操作部１１を外筒６０に対して少しずつ押し込めば、常に新しいブラシ面と睫毛が接触することにより、その部位に多くの量の化粧材等を塗布しつつ、ダマができたり塗布ムラができたりすることを防止することができる。また、操作部１１の押込を外筒６０に対して高速に行えば、睫毛に対する化粧材の塗布量を少なくすることができる。そして、本発明においては、ブラシ８０は常に一定の方向に回転するので、睫毛に対する化粧材の塗布を停止することなく、継続的に実施することができる。このため、本発明によれば、極めて迅速に高効率で、化粧材を塗布することができる。
【図面の簡単な説明】
【００２８】
【図１】本発明の実施形態に係る化粧材の塗布具１００の構成部品を示す斜視図である。
【図２】これらの部品を組み立てた状態と外筒６０との関係を示す正面図である。
【図３】図３（ａ）は押圧部材１０を示す正面図、図３（ｂ）はその左側面図、図３（ｃ）はその右側面図である。
【図４】図４（ａ）は中心部材２０を示す正面図、図４（ｂ）はその左側面図、図４（ｃ）はその右側面図である。
【図５】図５（ａ）は固定部材５０が取り付けられた回転部材３０を示す正面図、図５（ｂ）はその左側面図、図５（ｃ）はその右側面図、図５（ｄ）はバネの伸縮状態を示す正面図である。
【図６】図６（ａ）は固定部材５０が外された回転部材３０を示す正面図、図６（ｂ）はその左側面図、図６（ｃ）はその右側面図、図６（ｄ）はバネの伸縮状態を示す正面図である。
【図７】図７（ａ）は外筒６０を示す正面図、図７（ｂ）はその左側面図、図７（ｃ）はその右側面図である。
【符号の説明】
【００２９】
１０：押圧部材
１１：操作部
１２：収納部
１３：溝
２０：中心部材
２１：棒状部
２２：フランジ
２３：案内部
２４：螺旋溝
２５：凹部
３０：内側回転部材
３１：回転筒
３２：ピン
３３：固定部
３４：フランジ
３５：ネジ
３６：圧縮バネ
３７：連結部
３８：中心孔
３９：ピン
４０：外側回転部材
４１：回転部
４２：軸部
４３：圧縮バネ
４４：ネジ
４５：孔
５０：固定部
５１：ネジ
６０：外筒
６１：孔
６２：開口
６４：ピン
６５：壁
７０：取付部
７１：ネジ
８０：ブラシ
【図１】
2010131275.tif 000003
【図２】
2010131275.tif 000004
【図３】
2010131275.tif 000005
【図４】
2010131275.tif 000006
【図５】
2010131275.tif 000007
【図６】
2010131275.tif 000008
【図７】
2010131275.tif 000009